(57)【要約】【課題】  常に利き腕によるハンドルの把持を可能として操作性を良好とする。【解決手段】  ハンドル１内には、左右一対のロックオンボタン９，１０が、コイルバネ１１によりハンドル１からの突出位置に付勢された状態で設けられ、スイッチレバー６の押込み状態で、何れのロックオンボタン９，１０を押込み操作しても、係止片１３の突出段部１４をスイッチレバー６のロック板１５と係止させてスイッチレバー６の押込み状態（ロックオン状態）が得られるようになっている。また、ロックオンボタン９，１０間には、両者の突出位置で間隔を設定して、何れか一方を押し込んでも他方と干渉しないようにしている。【選択図】  図１
2006116624.tif 000002
【特許請求の範囲】
【請求項１】
ハウジングに内蔵されたモータ回路のスイッチを、前記ハウジングへ出没可能且つ常態では突出位置へ付勢されて設けられた操作部材の押込み操作によって動作可能とする一方、前記ハウジングに、前記ハウジングから出没可能で常態では突出位置へ付勢され、前記ハウジングへの押込み位置で前記ハウジングに押し込まれた前記操作部材と係止して前記操作部材の押込み状態を維持するロックオンボタンを設けた電動工具のスイッチ機構であって、
前記ロックオンボタンを、前記操作部材を中心とした左右対称位置に一対設けて、前記ハウジングの左右何れからでも前記ロックオンボタンによる前記操作部材の押込み状態の維持を可能としたことを特徴とする電動工具のスイッチ機構。
【請求項２】
両ロックオンボタン間に、何れか一方のロックオンボタンが押込み位置に移動しても、他方のロックオンボタンと干渉しない間隔を設けた請求項１に記載の電動工具のスイッチ機構。
【発明の詳細な説明】
【技術分野】
【０００１】
本発明は、マルノコや生垣バリカン等の電動工具に設けられ、ハウジングに内蔵したスイッチをスイッチレバー等の操作部材によって動作させるスイッチ機構に関する。
【背景技術】
【０００２】
電動工具では、ハンドル等のハウジング内に、モータの駆動回路に接続されたスイッチが設けられており、このスイッチに突出付勢状態で設けられたプランジャを、トリガーやレバー等の操作部材の押込み操作によって押し込むことで、スイッチをＯＮさせてモータの駆動が可能となる。
また、電動工具によっては、使い勝手を考慮して、ハンドルから出没可能で常態では突出位置へ付勢され、ハンドル内への押込み位置で、押込み操作された操作部材と係止可能なロックオンボタンを設けて、ロックオンボタンの押込み操作によってスイッチのＯＮ状態を維持可能とするロックオン機能が付与されることがある（例えば特許文献１参照）。
【０００３】
【特許文献１】特開２００２−３３０３１号公報
【発明の開示】
【発明が解決しようとする課題】
【０００４】
このようなスイッチ機構では、ハンドルを把持する手の親指でロックオンボタンを、人差し指で操作部材を夫々操作することになる。しかし、ロックオンボタンはハンドルの左右の一方側にのみ設けられるため、ロックオンボタンを操作するために利き腕でない手でハンドルを把持せざるを得なくなったり、ロックオンボタンの操作をいちいち他方の手で行ったりする必要があり、操作性が悪かった。
【０００５】
そこで、請求項１に記載の発明は、ロックオンボタンをハンドルの左右何れからでも操作可能とすることで、常に利き腕によるハンドルの把持を可能として操作性を良好とする電動工具のスイッチ機構を提供することを目的としたものである。
【課題を解決するための手段】
【０００６】
上記目的を達成するために、請求項１に記載の発明は、ロックオンボタンを、操作部材を中心とした左右対称位置に一対設けて、ハウジングの左右何れからでもロックオンボタンによる操作部材の押込み状態の維持を可能としたことを特徴とするものである。
請求項２に記載の発明は、請求項１の目的に加えて、ハンドルにロックオンボタンを一対設けても使用感を損なわせないようにするために、両ロックオンボタン間に、何れか一方のロックオンボタンが押込み位置に移動しても、他方のロックオンボタンと干渉しない間隔を設けたものである。
【発明の効果】
【０００７】
請求項１に記載の発明によれば、左右何れの手でハウジングを把持しても、当該手の指でロックオンボタンの操作が可能となる。よって、常に利き腕での作業が可能となって操作性が良好となり、使い勝手に優れる。
請求項２に記載の発明によれば、請求項１の効果に加えて、間隔の設定により、ロックオンボタンの何れか一方を押し込んだ際に他方が突出して手に当たったりすることがなく、ロックオンボタンを一対設けても使用感は損なわれない。
【発明を実施するための最良の形態】
【０００８】
以下、本発明の実施の形態を図面に基づいて説明する。
図１（Ａ）は、本発明のスイッチ機構を設けた生垣バリカンのハンドル部分の斜視図、図２（Ａ）はロックオンボタン９，１０部分の横断面図、図３はＡ−Ａ線断面図で、本発明のハウジングとなるハンドル１は、左右対称の半割形状である左ハウジング２と右ハウジング３（図１（Ａ）の左側を前方とする。）とを組み付けて形成される。ハンドル１内には、図示しないモータの駆動回路内で接続されるスイッチ４が収容されると共に、操作部材となるスイッチレバー６が、左右両面に突設したピン７，７を中心として回転可能にハンドル１へ枢着されて、常態では、図示しないコイルバネによって、ハンドル１の下方に形成される開口８からの突出位置に付勢されている。ここからスイッチレバー６をハンドル１内へ押込み操作すると、プランジャ５を押し込んでスイッチ４をＯＮさせることができる。
【０００９】
また、ハンドル１において、スイッチレバー６のピン７部分の内方側には、左右一対のロックオンボタン９，１０が出没可能に設けられている。このロックオンボタン９，１０は、外向きの先端が閉塞される中空の円柱体で、互いの中空部内に跨る格好で両端が挿入されるコイルバネ１１によって、互いに離れるハンドル１からの突出方向へ付勢され、常態（フリー状態）では、略中間位置でその外周に延設されたフランジ１２が左右ハウジング２，３の内面に当接する図１（Ａ）、図２（Ａ）の突出位置で移動規制される。よって、各ロックオンボタン９，１０は、ハンドル１の左右から夫々押込み操作することで、単独でハンドル１内に没入可能となるが、ここでは、ロックオンボタン９，１０がハンドル１内に略完全に没入する押込み位置で、反対側のロックオンボタン１０，９に近接するように、突出位置での両ロックオンボタン９，１０の間に間隔Ｈが確保されている。
さらに、各ロックオンボタン９，１０の基端前方側には、四角板状の係止片１３が、ロックオンボタン９，１０の軸方向と直交状に突設され、各係止片１３の先端縁には、奥側が長くなる突出段部１４が形成されている。
【００１０】
そして、スイッチレバー６におけるピン７部分の内方側中央には、コイルバネ１１が貫通する透孔１６を形成したロック板１５が、ハンドル１の縦方向で一体に形成されている。このロック板１５は、透孔１６が、係止片１３を含めてロックオンボタン９，１０が遊挿可能な大きさで形成されているが、スイッチレバー６の突出位置では、図１（Ａ）に示すように、透孔１６の外側の枠部分がロックオンボタン９，１０の係止片１３，１３の間に位置して、両ロックオンボタン９，１０の押込みを阻止可能となっている。
但し、スイッチレバー６を押し込むと、図１（Ｂ）に示すように、ロック板１５が前方へ回転し、枠部分を係止片１３，１３の間から退避させ、両ロックオンボタン９，１０の押込みを許容することになる。この押込み位置では、ロックオンボタン９，１０何れの場合にも、係止片１３の突出段部１４がロック板１５よりも押込み側に位置するようになっている。
【００１１】
以上の如く構成されたスイッチ機構においては、生垣バリカンを使用する場合、例えば右手でハンドル１を把持して人差し指でスイッチレバー６を押し込むと、図１（Ｂ）のようにスイッチレバー６がピン７，７を中心に回転してスイッチ４のプランジャ５を押込み、スイッチ４をＯＮさせる。よって、モータが駆動して生垣バリカンを使用することができる。このとき、ロック板１５も回転してロックオンボタン９，１０の係止片１３，１３との間から退避し、ロックオンボタン９，１０の何れの押込みも許容する状態となる。
【００１２】
次に、図２（Ｂ）に示すように、左側のロックオンボタン９を右手の親指でハンドル１内へ押し込むと、ロックオンボタン９は、反対側のロックオンボタン１０に近接するまで押し込まれる。ここでスイッチレバー６の押込みを緩めると、スイッチレバー６がコイルバネの付勢によって僅かに突出方向へ回転し、ロック板１５の透孔１６の内縁を係止片１３に当接させる。よって、ロックオンボタン９の押込みを解除すると、コイルバネ１１の付勢によってロックオンボタン９が突出方向へ移動しようとするが、係止片１３の突出段部１４がロック板１５に係止するため、図１（Ｃ）（Ｄ）及び図３に示すように、ロックオンボタン９の突出が規制されると共に、スイッチレバー６も係止片１３によって回転を阻止され、プランジャ５の押込み状態を維持する。すなわち、スイッチレバー６から指を離してもスイッチ４のＯＮが維持されるロックオン状態となる。
【００１３】
ロックオン状態を解除する場合は、一旦スイッチレバー６をハンドル１内へ押し込む。すると、スイッチレバー６の回転に伴うロック板１５の回転で、係止片１３の突出段部１４とロック板１５との係止が解除されるため、ロックオンボタン９がコイルバネ１１の付勢で突出位置に復帰する。ここでスイッチレバー６の押込みを解除すると、係止片１３との突出を解かれたスイッチレバー６もコイルバネの付勢により突出位置に復帰する。
なお、このようにロックオンボタン９が出没動作しても、間隔Ｈの設定により、ロックオンボタン１０に影響はなく、ロックオンボタン１０が動作することはない。
【００１４】
一方、左手でハンドル１を把持した場合も、人差し指でスイッチレバー６を押し込んでスイッチ４をＯＮさせた状態で、右側のロックオンボタン１０を左手の親指でハンドル１内へ押し込むと、図２（Ｃ）に示すように、ロックオンボタン１０は反対側のロックオンボタン９に近接するまで押し込まれる。次に、スイッチレバー６の押込みを緩めてロック板１５を係止片１３に当接させて、ロックオンボタン１０の押込みを解除すると、ロックオンボタン１０の係止片１３の突出段部１４とスイッチレバー６のロック板１５との係止によって、ロックオンボタン１０とスイッチレバー６とは夫々押込み位置で突出を規制され、スイッチレバー６から指を離してもスイッチ４のＯＮ状態が維持されるロックオン状態となる。ロックオンの解除は右手の場合と同じである。
【００１５】
このように上記形態のスイッチ機構によれば、ロックオンボタン９，１０を、スイッチレバー６を中心とした左右対称位置に一対設けて、ハンドル１の左右何れからでもロックオンボタン９，１０によるスイッチレバー６の押込み状態の維持を可能としたことで、左右何れの手でハンドル１を把持しても、当該手の指でロックオンボタン９又は１０の操作が可能となる。よって、常に利き腕での作業が可能となって操作性が良好となり、使い勝手に優れる。
また、両ロックオンボタン９，１０間に、何れか一方のロックオンボタンが押込み位置に移動しても、他方のロックオンボタンと干渉しない間隔Ｈを設けたことで、ロックオンボタン９，１０の何れか一方を押込み操作した際に他方が突出して手に当たったりすることがなく、ロックオンボタン９，１０が一対あっても使用感は損なわれない。
【００１６】
なお、スイッチ機構の各構成部は上記形態に限らず、例えば操作部材は、スイッチのプランジャに連結されて直線的に出没動作するトリガーとしたり、ロック板と係止片の突出段部との係合に代えて、フック形状同士の係合としたり等、適宜変更可能である。勿論ロックオンボタンも、中空の円柱体に限らず、中実体や角柱体としたり、突出付勢に板バネ等の他の弾性体を採用したりしても差し支えない。また、スイッチレバーがスイッチのプランジャの突出付勢で突出位置に維持されるタイプも採用可能である。
【図面の簡単な説明】
【００１７】
【図１】スイッチ機構を内設したハンドル部分の斜視図で、（Ａ）がフリー状態、（Ｂ）がスイッチＯＮ状態、（Ｃ）（Ｄ）がロックオンボタン９によるロックオン状態を夫々示す。
【図２】ハンドル部分の横断面図で、（Ａ）がフリー状態、（Ｂ）がロックオンボタン９の押込み状態、（Ｃ）がロックオンボタン１０の押込み状態を夫々示す。
【図３】Ａ−Ａ線断面図である。
【符号の説明】
【００１８】
１‥ハンドル、２‥左ハウジング、３‥右ハウジング、４‥スイッチ、５‥プランジャ、６‥スイッチレバー、９，１０‥ロックオンボタン、１３‥係止片、１４‥突出段部、１５‥ロック板。
【図１】
2006116624.tif 000003
【図２】
2006116624.tif 000004
【図３】
2006116624.tif 000005